(57)【特許請求の範囲】
【請求項１】
開口が設けられた本体と、
前記本体内に設けられる光源と、
前記開口に設けられ、入射される光の色を変更して出射する透光性の複数の単板を有し、前記光源から斜め下方に放出される光を、前記各単板の間の隙間を介して光色を変更することなくそのまま通過させ、前記光源から水平および斜め上方に放出されて前記単板に入射される光を透過させて、光色を変更して水平および斜め上方に照射するルーバと、
を備える照明器具。
【請求項２】
請求項１に記載の照明器具において、
前記本体は柱部材であり、前記光源はＬＥＤであり、前記ルーバは、前記柱部材における上方の側面に設けられた前記開口に設けられている照明器具。
【発明の詳細な説明】
【技術分野】
【０００１】
本発明は、照明器具に関する。
【背景技術】
【０００２】
従来、図３に示すように、アルミダイカスト、または鋼板等の不透光材料によって形成されたルーバ１００により、光源であるＬＥＤ（Light Emitting Diode）１０１からの光のグレアをカットし、水平線より下方向への光を確保するようにした照明器具１０２が知られている。なお、図３中の符号１０３は本体、１０４は点灯回路、１０５は地表面、１０６は収容部である。
【０００３】
また、図４に示すように、ＬＥＤ１０１を２個用いて、上方向および下方向へ複数の光色を出すようにした照明器具１０７が知られている。なお、図３と同様の部分には、同一の符号を付けてその説明を省略した。
【０００４】
さらに、図５に示すように、乳白色の透孔材料または透光性のあるカラーグローブ１０８によって、上方向および横方向への光を確保するようにした照明器具１０９が知られている。
【先行技術文献】
【特許文献】
【０００５】
【特許文献１】特開平１１−２１３７３０号公報（請求項１、段落０００９、図１）
【特許文献２】特開２００８−９１２３２号公報（請求項１、段落００２１、図１）
【発明の概要】
【発明が解決しようとする課題】
【０００６】
しかしながら、従来の図３に示す照明器具１０２においては、上方向および水平方向への光を完全に遮光してしまうため、明るさ感や、人の顔の表情等の視認性に欠けるという問題があった。
【０００７】
また、図４に示す照明器具１０７においては、ＬＥＤ１０１が２つ必要となり、コストアップになる。
【０００８】
さらに、図５に示す照明器具１０９においては、下方向への光が直接光でないため、地表面１０５への照明率が落ちるという問題があった。
【０００９】
本発明は、構成を簡略化でき、かつグレアを緩和し、地表面を確実に照明できる照明器具を提供することにある。
【課題を解決するための手段】
【００１０】
本発明は、開口が設けられた本体と、前記本体内に設けられる光源と、前記開口に設けられ、入射される光の色を変更して出射する透光性の複数の単板を有し、前記光源から斜め下方に放出される光を、前記各単板の間の隙間を介して光色を変更することなくそのまま通過させ、前記光源から水平および斜め上方に放出されて前記単板に入射される光を透過させて、光色を変更して水平および斜め上方に照射するルーバと、を備える。
【００１１】
ここで、前記本体は柱部材であり、前記光源はＬＥＤであり、前記ルーバは、前記柱部材における上方の側面に設けられた前記開口に設けられている。
【発明の効果】
【００１２】
本発明によれば、ルーバによって、光源から下方向に照射される光をそのまま通過させるため、地表面を確実に照明でき、足元の安全性を高めることができる。また、上方向および水平方向への光は、明るさ感を高めながら、演出用との光として用いることができる。また、光源を１つにできるため、コストダウンが可能となる。
【図面の簡単な説明】
【００１３】
【図１】本発明に係る第１実施形態の照明器具を示す断面図
【図２】第２実施形態の照明器具を示す断面図
【図３】従来例に係る照明器具を示す断面図
【図４】従来例に係る別の照明器具を示す断面図
【図５】従来例に係る別の照明器具を示す断面図
【発明を実施するための形態】
【００１４】
以下、本発明に係る実施形態の照明器具について、図面を参照して説明する。
（第１実施形態）
図１は、本発明に係る第１実施形態の照明器具１０を示す。この照明器具１０は、本体（柱部材）１１と、本体１１の上部に設けられた光源としてのＬＥＤ１２と、本体１１に設けられ、ＬＥＤ１２から斜め下方向に向かって放出される光を直接通過させ、水平方向および上方向に放出される光を、透過させて照射する透光性のあるカラー樹脂ルーバ１３と、を備えている。
【００１５】
次に、上記各構成要素について説明する。本体1１は、地表面１７に立設され、上部に収容部１４が設けられている。収容部１４の内部には、ＬＥＤ１２が設けられている。収容部１４の下には、点灯回路１8が収容されている。
【００１６】
カラー樹脂ルーバ１３は、収容部１４の側面における開口１５に取付けられている。このカラー樹脂ルーバ１３は、複数の単板１６が横向きに配置され、互いに上下方向に間隔を空けて並列配置されている。
【００１７】
ＬＥＤ１２から放出される光のうち、水平線より下方向へ放出される光は、カラー樹脂ルーバ１３における各単板１６の間隔を通過して、色が変更されることなく、斜め下方に直接照射される。
【００１８】
また、ＬＥＤ１２から放出される光のうち、水平方向および斜め上方向へ放出される光は、カラー樹脂ルーバ１３における各単板１６を透過し、ここで色が変更されて水平方向および斜め上方向へ照射される。
【００１９】
ＬＥＤ１２は、薄明視（明所視と暗所視の中間の明るさに順応した場合の視覚）環境で空間の明るさや視認性を高めることができる光色の光を放出する。
【００２０】
透光性のあるカラー樹脂ルーバ１３は、表面にシボ等の処理を施したもの、あるいは乳白（拡散）成分が入ったもの等を用いることができる。本体１１と透光性のあるカラー樹脂ルーバ１３に加え、カラー樹脂ルーバ１３を覆う透明材料のグローブ（図示せず）を備えることもできる。
【００２１】
本発明によれば、ＬＥＤ１２から放出される光のうち、水平線より下方への光は、カラー樹脂ルーバ１３における単板１６間を通り抜けた直接光であることから、地表面１７の照度を確保でき、さらに薄明視効果のある光により明るさ感が増大し、歩行の安全性を高めることができる。
【００２２】
また、カラー樹脂ルーバ１３が透光性のある樹脂により形成されているため、グレアを緩和しながら、地表面１７の照度を確保し、明るさ感を得ることができるので、安心感を与える照明ができる。
【００２３】
また、水平方向の薄明視効果のある光の照明と、鉛直方向の明るさ感を得られる照明とによる組合わせにより、相乗効果を得ることができる。
【００２４】
また、ＬＥＤ１２（薄明視効果のある青白い光）の光色に影響されることなく、上方向・水平方向への光を出しながら、グレアの緩和と光色を変えることができる。例えば、カラー樹脂ルーバ１３に、黄色や橙色の成分を含む樹脂を用いることにより、ＬＥＤ１２から多く発光される薄明視効果のある青色成分の光と、樹脂の黄色・橙色の成分の光とが混ぜ合わさり、温白色や電球色に近い色味に変わり、人の顔色等の見え方の問題を解消しながら、周囲環境を温かみのある落ち着いた雰囲気に演出できる。
【００２５】
さらに、光色の異なる２つのＬＥＤを１つのＬＥＤ１２で構成できるので、コストを抑えることができる。そのため、一つの照明器具で明るさ感・安心感が得られる演出性と、足元の照度確保と、薄明視効果で視認性歩行の安全性機能性を持った高機能器具が安価に提供できる。
【００２６】
また、光源としてＬＥＤ１２が用いられ、カラー樹脂ルーバ１３は、本体１１である柱部材の側面における開口１５に設けられているため、照明器具１０を街灯として用いた場合、歩行者の足元を照明できるとともに、歩行者に対するグレアを軽減できる。また、構成を簡略化できる。
【００２７】
（第２実施形態）
図２は、本発明に係る第２実施形態の照明器具２０を示す。この照明器具２０は、壁面埋め込みタイプである。なお、図１と同様の部分には、同一の符号を付けて詳細な説明を省略する。この照明器具２０は、壁面２１に埋め込まれた、かつ壁面２１側に開口する収容部２２と、収容部２２内に収容され壁面２１側に開口する本体２３とを備えている。
【００２８】
また、照明器具２０は、本体２３内に収容されたＬＥＤ１２、および点灯回路１８と、本体２３の開口に設けられたカラー樹脂ルーバ１３とを備えている。なお、図２中の符号２４は、カラー樹脂ルーバ１３を保護するカバーである。
【００２９】
ＬＥＤ１２から放出される光のうち、水平線より下方向へ放出される光は、ルーバ１３における各単板１６の間隔を通過して、色が変更されることなく、斜め下方に直接照射される。
【００３０】
また、ＬＥＤ１２から放出される光のうち、水平方向および斜め上方向へ放出される光は、カラー樹脂ルーバ１３における各単板１６を透過し、色が変更されて水平方向および斜め上方向へ照射される。
【００３１】
この照明器具２０によれば、第１実施形態の照明器具１０と同様の効果を奏することが可能である。
【符号の説明】
【００３２】
１０  照明器具
１１  本体
１２  ＬＥＤ（光源）
１３  カラー樹脂ルーバ
１４  収容部
１５  開口
１６  単板
１７  地表面
１８  点灯回路
２０  照明器具
２１  壁面
２２  収容部
２３  本体
２４  カバー
１００  ルーバ
１０２  照明器具
１０３  本体
１０４  点灯回路
１０５  地表面
１０７  照明器具
１０８  カラーグローブ
１０９  照明器具
【図１】
0005810290.tif 000002
【図２】
0005810290.tif 000003
【図３】
0005810290.tif 000004
【図４】
0005810290.tif 000005
【図５】
0005810290.tif 000006